(57)【要約】【課題】  ロール状の記録媒体に画像を記録後、画像の２箇所を切断して余白のないふち無しプリントを作成する画像記録装置において、記録媒体が刃の移動方向にずれて記録途上の画像の画質が劣化してしまうことを防止する。【解決手段】  連続する記録媒体に画像を記録する画像記録装置において、記録媒体に画像を記録後、記録媒体を切断する記録媒体切断手段が、記録媒体の搬送方向に直角な方向に関し異なる方向から、同時に前記記録媒体の切断を開始する２個の移動刃を備えたことを特徴とする画像記録装置。【選択図】        図１
2006341384.tif 000002
【特許請求の範囲】
【請求項１】
連続する記録媒体に画像を記録する画像記録装置であり、
画像記録を行う記録手段と、
前記記録手段により前記記録媒体に画像を記録後、該記録媒体を切断する記録媒体切断手段と、を備え、
前記記録媒体切断手段は、前記記録媒体の搬送方向に直角な方向に移動する２個の移動刃を有し、
前記２個の移動刃は異なる方向に移動し、前記記録媒体の切断を同時に開始するものであることを特徴とする画像記録装置。
【請求項２】
連続する記録媒体に画像を記録する画像記録装置であり、
画像記録を行う記録手段と、
前記記録手段により前記記録媒体に画像を記録後、該記録媒体を切断する記録媒体切断手段と、
前記記録媒体切断手段の作動を制御する切断制御手段と、を備え、
前記記録媒体切断手段は、前記記録媒体の搬送方向に直角な方向に独立に移動可能な２個の移動刃を有し、
前記切断制御手段は、前記２個の移動刃が前記記録媒体を異なる方向から同時に切断を開始するように制御するものであることを特徴とする画像記録装置。
【発明の詳細な説明】
【技術分野】
【０００１】
本発明は記録媒体を切断する手段を有する画像記録装置に関する。
【背景技術】
【０００２】
ロール状の記録媒体のような連続する記録媒体上に画像記録した後に、記録媒体を切断して画像が印刷された印刷物（以下印刷物を、プリントともいう。）を得る画像記録装置はよく知られている。近年、このような画像記録において、プリントの全体に余白無しで画像記録を行う、いわゆるふち無しプリントの要求が高まり、これを実現するための様々な工夫が行われている。
【０００３】
記録媒体の搬送方向に関して余白のないプリントを得る方法として、連続する複数の画像を隙間無く記録して、複数の画像の境界を正確に切断することも考えられるが、画像を切断するための切断手段や記録媒体を搬送する搬送手段に極めて高い精度が要求されるので実現が難しい。また記録手段の種類によっては、複数の画像を余白無しで印刷すること自体が、技術的な困難を伴う。
【０００４】
そこで余白の無いプリントを得るための方法として、記録媒体に複数の画像を記録媒体の搬送方向に関して余白を設けて記録し、余白部の両側すなわち互いに隣り合う画像の端部を２箇所切断することによって余白の無いプリントを得る方法が知られている。さらに、２箇所切断するための処理時間を短縮するために、記録媒体を２箇所で同時に切断することを可能にした切断手段を設ける方法が開示されている（例えば、特許文献１及び特許文献２参照）。
【０００５】
図９は特許文献１に開示された画像記録装置の一例を表す図であり、記録媒体を搬送方向に直角な方向に２箇所で同時に切断可能とすべく、記録手段の搬送方向下流に第１のカット手段及び第２のカット手段を設け、２個のカット手段で記録媒体を同一の方向からカットする様子が示されている。
【０００６】
図１０は特許文献２に開示された印刷装置の一例を表す図であり、記録媒体を搬送方向に直角な方向に２箇所で同時に切断可能とすべく、鋏の絵で示されたカッターを２個備えて、記録媒体を同一の方向からカット可能にした構成が示されている。
【特許文献１】特開２００１−３１０５１４号公報
【特許文献２】特開２００３−２１１７５５号公報
【発明の開示】
【発明が解決しようとする課題】
【０００７】
上記のような画像を記録する装置において、切断手段としてよく用いられる代表的なものとしてギロチン型切断手段、直線刃移動型カッター、円形回転刃移動型カッター等がある。しかしながら、切断手段を２個備えて２箇所を同時に切断するための構成を実現するには、以下に述べるような問題点がある。これを図１１乃至図１４を用いて説明する。図１１乃至図１４において、１５１は記録媒体、１５２はギロチン型切断手段の移動刃、１５３は上記３種類の切断手段の固定刃、１５４は直線刃移動型切断手段の移動刃、１５５は円形回転刃移動型切断手段の移動刃、１５６及び１５７は記録媒体をニップするローラ対Ａ及びローラ対Ｂ、１５８は記録媒体にインクを吐出して画像を記録する記録手段、１５９は直線刃移動型または円形回転刃移動型切断手段を保持し移動させるワイアを示す。以下、先ず各種の切断手段の特徴を述べる。
【０００８】
切断手段として、図１１に示すギロチン型切断手段は、記録媒体の幅以上の長さの固定刃と移動刃が、記録媒体を挟んで対向して、固定刃で記録媒体を支持し、図示しないモータで移動刃を記録媒体面と直交する矢印の方向に動かして記録媒体を切断する。切断時間も短く刃の耐久性も高い。
【０００９】
図１２に示す直線刃移動型切断手段は、図示しないモータで小型の移動刃を矢印で示す記録媒体幅方向に移動し、記録媒体の幅以上の長さの固定刃で支持された記録媒体を切断する。移動刃を移動させる動力はギロチン型切断手段よりも小さく、また移動刃の寸法も小型となるため、ギロチン型切断手段に比べてコストダウンが可能である。
【００１０】
図１３に示す円形回転刃移動型切断手段は、図示しないモータで移動刃を矢印で示す記録媒体幅方向に移動し、記録媒体の幅以上の長さの固定刃で支持された記録媒体を切断する。移動刃を移動させる動力はギロチン型よりも小さくまた移動刃の寸法も小型となるため、ギロチン型よりもコストダウンとなる点で直線刃移動型切断手段と同様の長所を有し、さらに円形の移動刃が回転可能に構成され回転しながら記録媒体を切断するので、移動刃の円周上に形成された刃先の全周が使用され、移動刃の一部が集中的に使用される直線刃移動型切断手段よりも耐久性に優れる。
【００１１】
しかしながら、これら各種の切断手段にはそれぞれ以下のような短所がある。ギロチン型切断手段は移動刃を駆動するために大きな動力を必要とし、また記録媒体の幅以上の長さの移動刃が必要なためコストアップになるという問題がある。２個の切断手段を備える場合は、この点はさらに大きな問題となる。直線移動刃型切断手段や円形回転刃移動型切断手段では、記録媒体を移動刃の移動方向に押す力が作用する。記録媒体が移動刃の移動方向にわずかでも動いてしまうと、記録媒体の搬送方向に関し上流側の部位が画像記録の途上である場合に、記録済みの部位とこれから記録を行う部位の位置が相対的にずれてしまい、画質が大幅に低下するという問題があった。２個の切断手段を備える場合は、記録媒体を移動刃の移動方向に押す力も増大し、ずれる量も大きくなる恐れがあり、より大きな問題となる。
【００１２】
このような原因で生じる記録媒体のずれは、特に画像記録が記録媒体を搬送方向に繰り返し移動して画像を記録することにより完成されるものである場合に、特に大きな影響を受ける恐れがある。
【００１３】
この問題を回避するために、切断手段の片側または両側に、記録媒体をニップするローラ対を設ける方法が知られていて、図１４には、切断手段の両側に記録媒体をニップするローラ対Ａ及びローラ対Ｂを設けた例を示す。特に切断手段の搬送方向上流側に設けられたローラ対Ａが、上記のような記録媒体の搬送方向に直角な方向のずれを防止するために有効である。
【００１４】
しかしながら、ローラ対Ａのニップ力を大きくすると、記録媒体の先端がローラ対Ａに侵入する際の抵抗が大きくなって記録媒体の搬送精度が低下して画質が劣化すること、記録媒体がローラ対Ａの間に進入せず搬送が正常に行われずに、いわゆる搬送ジャムの原因となること、あるいは記録した画像のインクが記録面側のローラに付着して記録媒体の異なる部位に転写して画像が汚れるといった問題が生じるため、ローラ対Ａのニップ力を充分に大きくして前述の問題を回避することは困難であった。切断手段の下流側に設けたローラ対Ｂに関しても同様の問題が生じる可能性がある。
【００１５】
本発明は上記の問題に鑑み、ロール状の記録媒体に画像を記録し記録部の下流側に配置された記録媒体切断手段により、画像が記録された記録媒体の２箇所を同時に切断し、余白のないふち無しプリントを高速に作成する画像記録装置において、記録媒体が刃の移動方向にずれて、記録途上の画像の画質が劣化してしまうことが防止された画像記録装置を提供することを目的とする。
【課題を解決するための手段】
【００１６】
上記目的は以下の構成によって達成することができる。
【００１７】
（請求項１）
連続する記録媒体に画像を記録する画像記録装置であり、
画像記録を行う記録手段と、
前記記録手段により前記記録媒体に画像を記録後、該記録媒体を切断する記録媒体切断手段と、を備え、
前記記録媒体切断手段は、前記記録媒体の搬送方向に直角な方向に移動する２個の移動刃を有し、
前記２個の移動刃は異なる方向に移動し、前記記録媒体の切断を同時に開始するものであることを特徴とする画像記録装置。
【００１８】
（請求項２）
連続する記録媒体に画像を記録する画像記録装置であり、
画像記録を行う記録手段と、
前記記録手段により前記記録媒体に画像を記録後、該記録媒体を切断する記録媒体切断手段と、
前記記録媒体切断手段の作動を制御する切断制御手段と、を備え、
前記記録媒体切断手段は、前記記録媒体の搬送方向に直角な方向に独立に移動可能な２個の移動刃を有し、
前記切断制御手段は、前記２個の移動刃が前記記録媒体を異なる方向から同時に切断を開始するように制御するものであることを特徴とする画像記録装置。
【発明の効果】
【００１９】
請求項１の発明により、ロール状記録媒体に画像記録を行う場合に、記録媒体切断手段によって、記録媒体の両側から同時に前記記録媒体の切断を開始する２個の移動刃を備えることにより、記録媒体の搬送方向に直交する方向のずれが防止され、画質を維持することが可能な画像記録装置が提供される。
【００２０】
請求項２の発明により、ロール状記録媒体に画像記録を行う場合に、記録媒体切断手段が独立に移動可能な移動刃を、切断制御手段によって制御することにより、記録媒体の幅や記録媒体が搬送される位置に依らず、記録媒体の両側から同時に記録媒体の切断を開始することが可能になり、記録媒体の搬送方向に直交する方向のずれが防止され、画質を維持することが可能な画像記録装置が提供される。
【発明を実施するための最良の形態】
【００２１】
以下、本発明の実施の形態について図面を参照して説明する。先ず本発明の一例である画像記録装置１００の構成と機能を、その主要な構成要素を示す斜視図である図１を用いて説明する。連続する記録媒体の形態として、ロール状記録媒体や、ファンフォールド紙があるが、本発明を実施する上ではロール状記録媒体を用いることが好ましい。
【００２２】
図１において、ロール状の記録媒体１は、記録媒体１を搬送する搬送手段の一部である供給ローラ対３によって狭持され、供給ローラ対３が図示しない供給駆動モータによって駆動されることにより、矢印Ａで示す方向に搬送され、画像記録が行われる位置に向けて送出される。
【００２３】
供給ローラ対３の搬送方向下流には、記録媒体１の搬送方向に略直交する方向すなわち記録媒体１の幅方向に移動しながらインクを吐出することにより画像を記録する記録手段２が設けられている。記録手段としては、このような記録媒体１の幅方向に移動しながらインクを吐出するものに限られず、記録媒体１の全幅にわたってインクを吐出するノズルを備えたものであってもよい。
【００２４】
図１の記録手段２は、記録媒体１の幅方向に平行に設けられたガイドバー２３、ガイドバー２３に移動可能に係合され記録媒体１に対してインクを吐出する記録ヘッド２０、ガイドバー２３の両端部に２個のプーリ２５（プーリ２５Ａ及びプーリ２５Ｂ）及び２個のプーリ２５の間に巻回されたワイア２４とを備えている。ワイア２４と記録ヘッド２０とは連結され、２個のプーリ２５のうち一方のプーリ２５Ａは図示しない記録ヘッド駆動モータにより回転駆動される。このようにプーリ２５が回転駆動されることにより、記録ヘッド２０はガイドバー２３に沿って移動する。なお本実施の形態では、ガイドバー２３は記録媒体１の幅方向に関しても余白のないプリントを得るべく、記録ヘッド２０が記録媒体１の搬送方向に直交する方向の端部より外側にもインクを吐出できるような長さに設定されている。
【００２５】
記録手段２には、ガイドバー２３に沿って移動する記録ヘッド２０の位置を検知する図示しないリニアエンコーダが設けられている。また記録手段２の下流には、記録媒体１上に噴射されたインクを乾燥させるインク乾燥手段７が設けられている。
【００２６】
さらに記録媒体１の画像記録面と反対側には、記録媒体１を吸引することにより画像記録時の記録媒体１の浮き上がりを防止する吸引手段８が設けられている。
【００２７】
供給ローラ対３の搬送方向下流側には、画像が記録された記録媒体１を切断する記録媒体切断手段６が設けられ、記録媒体切断手段６は記録媒体１の搬送方向に所定の間隔をもって第１の移動刃６１Ａ及び第２の移動刃６１Ｂを有している。２個の移動刃６１Ａ及び６１Ｂをあわせて指す場合は、移動刃６１ともいう。
【００２８】
図１に示す画像記録装置１００においては、第１の移動刃６１Ａ及び第２の移動刃６１Ｂは、記録媒体１の幅方向外側に配置された一組のプーリ６３（プーリ６３Ａ及びプーリ６３Ｂ）に巻回されたワイア６４に固定されている。プーリ６３Ａは切断駆動モータ６５によって回転駆動される。
【００２９】
記録媒体切断手段６の搬送方向上流側及び下流側には、それぞれ搬送ローラ対４及び排出ローラ対５が設けられ、記録媒体１を狭持し搬送する。搬送ローラ対４は供給ローラ対３と協働して記録媒体１を搬送する機能と、記録媒体１が記録媒体切断手段６によって切断されるときに記録媒体１を確実にニップして、矢印Ｂで示す搬送方向に直角な方向にずれることを防ぐ機能を有する。
【００３０】
排出ローラ対５は、搬送ローラ対４と協働して記録媒体１をニップして矢印Ｂで示す搬送方向に直角な方向にずれることを防ぐ機能と、記録媒体１が切断されたものを不図示の排紙トレイに向けて排出する機能を有する。
【００３１】
ワイア６４はプーリ６３に巻回され、プーリ６３の回転に伴い、記録媒体１の搬送方向に関しプーリ６３の上流側にあるときと下流側にあるときとで、互いに反対方向に移動する。移動刃６１Ａはワイア６４のプーリ６３の上流側の部位に、移動刃６１Ｂはワイア６４のプーリ６３の下流側の部位に固定されている。プーリ６３Ａの矢印Ｃで示す方向の回動によって、画像を記録された記録媒体１が両側から同時に切断される。以下、本発明をより詳細に説明するために、本発明の画像記録装置１００による画像記録動作について、実施形態により説明する。
【００３２】
（実施形態１）
図２乃及び図３を用いて実施形態１を説明する。図１に示す構成要素と同じ構成要素には、同一の番号を付している。実施形態１は本発明の請求項１に係る発明の実施形態の一例である。
【００３３】
図２は図１に示す画像記録装置１００を、図１の矢印Ｄで示す方向から見た断面図である。以下、図１に示されていない構成要素について説明する。６６は記録媒体１を下方から支持し、移動刃６１と協働して記録媒体１を切断する固定刃であり、記録媒体１の全幅以上の長さを有する。移動刃６１Ａに対して固定刃６６Ａ、移動刃６１Ｂに対して固定刃６６Ｂが設けられている。１０は記録媒体１が記録媒体切断手段６によって切断されて生じる切断片を回収する切断片回収手段である。１１は画像が記録され切断されて得られたプリントを受ける排紙トレイである。
【００３４】
図３は画像記録装置１００の切断手段６の近傍を示す図であり、図３（ａ）は画像記録装置１００の上方から見た図であり、画像記録装置１００で記録可能な最大幅の記録媒体を記録する場合を示している。矢印Ａで示す方向が記録媒体１の搬送方向である。矢印Ｂで示す方向のプーリ６３Ａの回動によって、移動刃６１Ａが矢印Ｄの方向に、移動刃６１Ｂが矢印Ｃの方向に移動することで記録媒体１の切断が行われる。図３（ｂ）は切断手段６の近傍を記録媒体１の搬送方向上流側から見た図である。また図３（ｃ）は図３（ｂ）に示す記録媒体切断手段６を、プーリ６３Ａの側から見た図である。
【００３５】
実施形態１においては、一方の移動刃６１Ａが記録媒体１の一方の端部の切断を開始する箇所に位置するときに、他方の移動刃６１Ｂが記録媒体１の他方の端部の切断を開始する箇所に位置するように、ワイア６４に固定されている。これによって、２個の移動刃６１Ａ及び６１Ｂが同時に記録媒体１の切断を開始し、移動刃６１Ａ及び６１Ｂが記録媒体１に加える搬送方向に直角な方向の力がほぼ相殺され、記録媒体１の搬送方向に直角な方向のずれが防止される。
【００３６】
図４に、記録媒体１の切断が終了した状態を示す。図４（ａ）及び図４（ｂ）においては、図３（ａ）及び図３（ｂ）に示した移動刃６１Ａ及び６１Ｂが、それぞれ記録媒体１の他方の端部まで移動していて、記録媒体１の切断が終了している。図４（ｃ）はこの状態をプーリ６３Ａの側から見た図で、２個の移動刃６１による切断で、記録媒体１が、画像が記録されたプリント１０１と、２個の移動刃の間に位置していた部分が切断され切断片１０２とに切断される。プリント１０１は排紙トレイ１１に保持され、切断片１０２は切断片回収手段１０に回収される。
【００３７】
次に実施形態１で、幅の異なる記録媒体に画像を記録して切断する場合を、図５を用いて説明する。図５（ａ）は図３（ａ）と同様、画像記録装置１００で可能な最大記録幅の記録媒体を、図５（ｂ）は、画像記録装置１００で可能な最大記録幅の約７０％の幅の記録媒体を用いる場合を示す。
【００３８】
実施形態１では移動刃６１が同一のワイア６４に対して保持されている。従って幅の異なる記録媒体に対しても同時に切断を開始するためには、図５（ａ）と図５（ｂ）で示されているように、記録媒体の幅に依らず、記録媒体の幅の中心が同一位置になるような搬送機構を設けて記録媒体を搬送するように構成している。搬送機構をこのように構成する方法はよく知られていて、例えば記録媒体の幅方向の位置を規制するガイド部材の移動を、互いに逆方向に等距離移動するように連動させることで実現できる。
【００３９】
この構成により、画像記録装置１００において記録媒体１はその幅に依らず２個の移動刃６１Ａ及び６１Ｂによって常に同時に切断を開始されるので、記録媒体１の搬送方向に直角な方向のずれが防止され、画質が良好に維持される。
【００４０】
図６は以上説明した実施形態１の画像記録と切断を制御するための構成を示す。制御部２０１はＣＰＵ２０２を備え、外部のホストからの指令をインターフェース部２０３を経由して受け取り、以下に述べるように各部を制御する。制御部２０１は画像メモリ２０４を制御して、ホストからインターフェース部２０３を経由した画像データの受け取り及びヘッドドライバ２０５への送出を制御する。また、以下の複数のモータをそれぞれ駆動するモータドライバ２１０を介して、供給ローラ対３を駆動する供給駆動モータ２０６、搬送ローラ対４を駆動する搬送モータ２０７、排出ローラ対５を駆動する排出駆動モータ２０８を制御する。同様に、モータドライバ２１０を介して記録ヘッド２０を駆動するための記録ヘッド駆動モータ２０９を制御する。同様に、モータドライバ２１０を介して切断駆動モータ６５を制御して、移動刃６１Ａ及び６１Ｂを同時に移動させて記録媒体１を切断する。
【００４１】
ヘッドドライバ２０５は画像メモリ２０４に保持された画像データに基づいて記録ヘッドを駆動して記録媒体１に向けてインクを吐出し、画像記録が行われる。
【００４２】
以上説明した実施形態１の制御のための構成と各構成要素間の制御関係は、本発明の実施形態１を実現するための一例であり、これに限られるものではない。
【００４３】
（実施形態２）
次に、本発明の請求項２に係る発明の実施形態の一例である実施形態２について、図７を用いて説明する。実施形態２は、記録媒体の幅や幅方向の位置に依らず記録媒体の両側から同時に切断可能にすることを目的とした構成の一例であり、この目的のために２個の移動刃６１を独立の駆動手段によって駆動可能な構成としている。この駆動を行うための切断制御手段については、後述の図８を用いて説明する。
【００４４】
図７は実施形態２の画像記録装置３００の一部である、記録媒体切断手段１６と記録媒体切断手段１６の周辺の部材を上方から見た図である。記録媒体切断手段１６の構成要素中、実施形態１に示した切断手段６と同じ機能の構成要素には同一の番号を付している。
【００４５】
実施形態１の記録媒体切断手段６で個数が１個であったものが、記録媒体切断手段１６では２個用いられている場合は、搬送方向上流側のものに記号Ａまたは数字１、搬送方向下流側のものに記号Ｂまたは数字２を付加している。
【００４６】
搬送方向上流側の移動刃６１Ａはプーリ６３Ａ１及びプーリ６３Ｂ１に巻回されたワイア６４Ａに保持されて、切断駆動モータ６５Ａによりプーリ６３Ａ１が矢印Ｂに示す方向に回動されることにより、矢印Ｅに示す方向に移動する。
【００４７】
搬送方向下流側の移動刃６１Ｂはプーリ６３Ａ２及びプーリ６３Ｂ２に巻回されたワイア６４Ｂに保持されて、切断駆動モータ６５Ｂによりプーリ６３Ａ２が矢印Ｃに示す方向に回動されることにより、矢印Ｄに示す方向に移動する。
【００４８】
６６Ａ及び６６Ｂは、それぞれ搬送方向上流側の固定刃と、搬送方向下流側の固定刃であり、記録媒体１を支持するとともに、それぞれ移動刃６１Ａと移動刃６１Ｂと協働して記録媒体１を切断する。
【００４９】
９０は記録媒体位置検知手段であり、切断手段６の上流側または下流側に配置され、記録媒体１の幅方向の両端の位置を検知する。記録媒体位置検知手段９０の検知方法としてはよく知られた様々な方法がある。記録媒体の幅全体にわたる長さを有する光源とラインセンサを組み合わせて用いてもよく、その場合任意の幅の記録媒体の幅方向の端部の位置を精度よく検知することが可能である。フォトトランジスタのような光センサと発光ダイオードのような光源を組み合わせたセンサを、記録媒体の幅方向に適当な間隔をおいて配置してもよく、用いられる記録媒体の幅が何種類かの所定の値に限られている画像記録装置の場合は、小型低コストで記録媒体位置検知手段を実現できる好ましい方法である。図７に示した記録媒体位置検知手段９０は後者の例である。なお、本図で記録媒体位置検知手段９０は、記録媒体１の下に位置しているが、この部分のみ記録媒体１を透視したものとして図示している。
【００５０】
上記のような構成と後述の切断制御手段による制御で、記録媒体を切断するときに記録媒体に作用する力を相殺して記録媒体の搬送方向に直交する方向のずれを防止するという本発明の目的を、幅の異なる記録媒体を用いた場合にも達成することが容易になる。
【００５１】
図７（ａ）は用いる記録媒体１の幅が、画像記録装置３００で記録可能な最大幅の記録媒体である場合を示し、図７（ｂ）は用いる記録媒体１の幅が、上記の約７０％である場合を示している。
【００５２】
実施形態１の画像記録装置１００のように、記録媒体１の幅方向の中心が常に同一の位置になるのでなく、図７（ｂ）に示すように一方の端部が常に同一の位置になるように構成することが可能になる。このように構成すると、本発明の画像記録装置において、記録媒体を保持する機構、記録媒体の幅方向の位置決めをする機構及び記録媒体を搬送する機構を、簡易で低コストなものにすることができる。
【００５３】
記録媒体位置検知手段９０は必須の構成要件では無く、２個の移動刃６１を制御するための記録媒体１の端部に関するデータを得るために、以下のような手段や方法も用いることもできる。例えばホストから与えられる指令に記録媒体の幅の情報が含まれ、その指令に基づいて選択された記録媒体１に画像記録が行われる場合は、切断制御手段４１０がその指令に基づいて記録媒体切断手段１６の切断駆動モータ６５を制御してもよい。図７に示した記録媒体１の幅方向の位置決めを行うガイド部材９１が設けられている場合、ガイド部材９１の位置を検知するガイド部材検知手段９２（図７には不図示）を設け、その検知データに基づいて切断制御手段によって記録媒体切断手段１６の切断駆動モータ６５を制御してもよい。ガイド部材９１は記録媒体切断手段１６の近傍でなく、記録媒体１がロール状に巻かれている元巻部の近傍に設けられていてもよい。
【００５４】
図８は以上説明した実施形態２の画像記録と記録媒体１の切断を制御するための構成を示す。図６で説明した実施形態１の制御と同一の機能を有する構成要素については、同一の番号を付している。
【００５５】
記録媒体切断手段１６を制御する切断制御手段４１０は、制御部４０１の一部として構成されている。制御部４０１はＣＰＵ４０２を備え、外部のホストからの指令をインターフェース部２０３を経由して受け取り、以下に述べるように各部を制御する。制御部４０１は画像メモリ２０４を制御して、ホストからインターフェース部２０３を経由した画像データの取りこみ及びヘッドドライバ２０５への送出を制御する。また以下の複数のモータをそれぞれ駆動するモータドライバ４２０を介して、供給ローラ対３を駆動する供給駆動モータ２０６、搬送ローラ対４を駆動する搬送モータ２０７、排出ローラ対５を駆動する排出駆動モータ２０８を制御する。同様に記録ヘッド２０を駆動するための記録ヘッド駆動モータ２０９を制御する。切断制御手段４１０は、モータドライバ４２０を介して記録媒体切断手段１６の切断駆動モータ６５Ａ及び切断駆動モータ６５Ｂを制御して、移動刃６１Ａと移動刃６１Ａを独立に移動させることにより、記録媒体１を幅方向の両側から同時に切断するように制御する。両側から同時に切断するために必要な情報は、記録媒体位置検知手段９０から得てもよく、またホストからインターフェース部２０３を経由して得た情報であってもよい。また、ガイド部材９１の位置を別途検知するガイド部材検知手段９２が設けられている場合に、ガイド部材検知手段９２から情報を得てもよい。ヘッドドライバ２０５は画像メモリ２０４に保持された画像データに基づいて記録ヘッド２０を駆動して記録媒体１に向けてインクを吐出し、画像記録を行う。
【００５６】
以上説明した実施形態２の制御のための構成と各構成要素間の制御関係は、本発明の実施形態２を実現するための一例であり、これに限られるものではない。例えば切断制御手段４１０を、制御部４０１の一部であるＣＰＵ４０２でプログラムによって実行される機能の一部として実現してもよい。
【００５７】
以上、実施形態１及び実施形態２に示す構成により、ロール状の記録媒体のような連続紙に、ふち無しプリントを作成する画像記録装置において、高画質の画像を得ることが可能になる。
【００５８】
ロール状記録媒体を複数個用いて、それぞれのロール状記録媒体に対して、以上説明した２個の移動刃を備えた切断手段を設けて、それぞれの記録媒体を異なる方向から同時に切断するように構成しても良く、本発明の範囲内である。また以上説明した本発明の切断手段を備えた画像記録装置は、実施形態１及び２で述べたインクを吐出することで画像を記録するものに限られず、熱転写プリンタ等他の記録方式を用いた画像記録装置にも適用可能であり、本発明の範囲内である。
【図面の簡単な説明】
【００５９】
【図１】本発明を実施する画像記録装置の主要な構成要素を示す斜視図である。
【図２】図１に示す画像記録装置の主要な構成要素を示す断面図である。
【図３】実施形態１の記録媒体切断手段の構成と動作を示す図である。
【図４】図３に示す記録媒体切断手段によって切断が終了した様子を示す図である。
【図５】実施形態１の記録媒体切断手段により、幅の異なる記録媒体に画像を記録する場合の記録媒体切断手段の動作を示す図である。
【図６】実施形態１の切断の制御を行うための構成を示す図である。
【図７】実施形態２の記録媒体切断手段の構成と動作を示す図である。
【図８】実施形態２の切断の制御を行うための構成を示す図である。
【図９】従来知られた、移動刃を２個備えた画像記録装置を示す図である。
【図１０】従来知られた、２個のカッターを備えた印刷装置を示す図である。
【図１１】従来よく知られているギロチン型切断手段の動作を示す概略図である。
【図１２】従来知られている直線刃移動型切断手段の動作を示す概略図である。
【図１３】従来知られている直線刃移動型切断手段の動作を示す概略図である。
【図１４】従来知られている、記録媒体のずれを防止するためのローラ対を設けた構成を示す図である。
【符号の説明】
【００６０】
１  記録媒体
２  記録手段
３  供給ローラ対
４  搬送ローラ対
５  排出ローラ対
６  実施形態１の記録媒体切断手段
１０  切断片回収手段
１６  実施形態２の記録媒体切断手段
２０  記録ヘッド
６１  移動刃
６３  プーリ
６４  ワイア
６５  切断駆動モータ
６６  固定刃
９０  記録媒体位置検知手段
１００  実施形態１の画像記録装置
１０２  切断片
２０１  実施形態１の制御部
３００  実施形態２の画像記録装置
４０１  実施形態２の制御部
４１０  実施形態２の切断制御手段
【図１】
2006341384.tif 000003
【図２】
2006341384.tif 000004
【図３】
2006341384.tif 000005
【図４】
2006341384.tif 000006
【図５】
2006341384.tif 000007
【図６】
2006341384.tif 000008
【図７】
2006341384.tif 000009
【図８】
2006341384.tif 000010
【図９】
2006341384.tif 000011
【図１０】
2006341384.tif 000012
【図１１】
2006341384.tif 000013
【図１２】
2006341384.tif 000014
【図１３】
2006341384.tif 000015
【図１４】
2006341384.tif 000016